(57)【要約】【課題】ゴールリングが下方へ回動するバスケットボール用ゴールリングにおいて、簡易な構成とし、廉価に製造でき、屋外での使用にも適したものとすること、更に、半永久的にゴールリングを水平位置に保持可能であること、ゴールリングが下方へ回動するために必要な荷重の設定を容易とすること、ゴールリングが下方へ回動した位置から水平位置に戻る際の反動が弱く、ゴールリングの跳ね上がりが緩やかとすることを目的とする。【解決手段】バックボードに固定したブラケットに、リングを固定した上端部から下方へ延設した縦部を備えた支持部材を板ばねの下方で軸支し、ブラケットには補助ばねと少なくとも２枚以上の板ばねを設け、総ての板ばねの一端は支持部材の側面に固定すると共に少なくとも１枚の板ばねの他端は補助ばねに固定した。【選択図】  図１
2006014783.tif 000002
【特許請求の範囲】
【請求項１】
バックボードに固定したブラケットに、リングを固定した支持部材を軸支し、ブラケットには補助ばねと少なくとも２枚以上の板ばねを設け、総ての板ばねの一端は支持部材の側面に固定すると共に少なくとも１枚の板ばねの他端は補助ばねに固定したことを特徴とするバスケットボール用ゴールリング。
【請求項２】
支持部材はリングを固定した上端部から下方へ延設した縦部を備え、板ばねの一端は支持部材の縦部の側面に固定し、支持部材は板ばねの下方でブラケットに軸支したことを特徴とする請求項１記載のバスケットボール用ゴールリング。
【請求項３】
板ばねの支持力を調整する調整機構を備えることを特徴とする請求項１記載のバスケットボール用ゴールリング。
【請求項４】
調整機構は、ボルトを固定した移動部材をブラケットに移動可能に設け、移動部材に補助ばねを設け、ブラケットに固定した保持部材にボルトを挿通し、保持部材の両側でボルトにナットを螺合して構成したことを特徴とする請求項３記載のバスケットボール用ゴールリング。
【請求項５】
２枚以上の板ばねを重ねて設け、該重ねて設けられた少なくとも２枚以上の板ばねを上下から挟持する少なくとも１対のローラーをブラケットに回転自在に設けたことを特徴とする請求項１から請求項４のうちいずれか１項記載のバスケットボール用ゴールリング。
【請求項６】
板ばねの曲折を誘導するガイドを設けたことを特徴とする請求項１から請求項５のうちいずれか１項記載のバスケットボール用ゴールリング。
【請求項７】
リングの回動を停止させるストッパーを設けたことを特徴とする請求項１から請求項５のうちいずれか１項記載のバスケットボール用ゴールリング。
【請求項８】
少なくとも１枚の板ばねは他の板ばねと異なる厚さを有することを特徴とする請求項１から請求項７のうちいずれか１項記載のバスケットボール用ゴールリング。
【請求項９】
２枚以上の板ばねのうち１枚の板ばねを補助ばねに固定し、該補助ばねに固定した板ばねは他の板ばねより厚いことを特徴とする請求項８記載のバスケットボール用ゴールリング。
【発明の詳細な説明】
【技術分野】
【０００１】
本発明はバスケットボール用ゴールリングに関し、特にバックボードに回動可能に結合し、ゴールリングの回動が円滑であり、定位置へ戻る際の反動が弱く、緩やかなバスケットボール用ゴールリングに関する。
【背景技術】
【０００２】
従来のバスケットボール用ゴールリングは、ゴールの設置面に垂直なバックボードに直交させて水平に固定されていた。しかし、このような構成では、近年よく行われるダンクシュートの際等に競技者がゴールリングにぶら下がった場合に、バックボードやゴールリングが破損し、時にはその破片等で競技者が負傷することもあり、又、ゴールリングにぶら下がった際に手首に負荷がかかり手首を負傷する場合もあった。
【０００３】
そこで、バックボードにゴールリングを下方へ回動自在に軸支し、競技者がゴールリングにぶら下がった場合に、ゴールリングが下方へ回動して、バックボードやゴールリングの破損を防止し、或いは手首の負担を軽減するバスケットボール用ゴールリングが提案されている。そして、このような作用を備えるために、例えば、バックボードに固定するブラケットにゴールリングをサイドフレームを介して軸で回動可能に軸支し、ブラケットとサイドフレーム間に流体圧ダンパーとしてダッシュポットを介在させ、ダッシュポットのシリンダをブラケットに揺動可能に軸着し、ダッシュポットのピストンロッドをサイドフレームに揺動可能に軸着して構成したもの（特許文献１参照。）や、バックボードにリング本体を下方へ回動可能に軸支し、リング本体に一端部を摺動可能に当接し、他端部をバックボードに回動可能に連結してリング本体をバックボードと直交する水平位置に保持する弾機を設けると共に、弾機の略中央部付近を囲むストップバーをバックボード側に設けて構成したもの（特許文献２参照。）が提案されている。
【０００４】
しかし、前者は流体圧ダンパーという複雑な構成の部材を使用しているため丁寧なメンテナンスが必要であり、高価なものとなってしまうという欠点があった。更に、このような複雑な構成を有するので、屋外での使用には適していなかった。
【０００５】
又、後者は使用するうちに弾機が曲がってしまい、ゴールリングを水平位置に保持することができなくなるという欠点があった。又、ゴールリングが下方へ回動するために必要な荷重の設定をすることができず、競技者の体重等によってはゴールリングが回動しないという問題点を有していた。
【０００６】
更に、両者を含む従来技術では、ゴールリングを支持する部材を下方から支持し、ゴールリングを支持する部材を下方から上方へ押圧してゴールリングを水平位置に戻すので、ゴールリングが下方へ回動した位置から水平位置に戻る際の反動が極めて強く、ゴールリングの跳ね上がりが急であるので、競技者の手首、指、腕等を強打して怪我をすることがあるという問題点を有していた。
【０００７】
【特許文献１】特許第２８０１９０２号公報
【特許文献２】実公平７−７９８２号公報
【発明の開示】
【発明が解決しようとする課題】
【０００８】
そこで、本願発明はゴールリングが下方へ回動するバスケットボール用ゴールリングにおいて、簡易な構成とすることで、廉価に製造できると共に維持コストがかからず、更には使用場所を選ばず屋内のみならず屋外での使用にも適したものとすることを目的とする。更に、半永久的にゴールリングを水平位置に保持可能であること、ゴールリングが下方へ回動するために必要な荷重の設定を容易とすること、ゴールリングが下方へ回動した位置から水平位置に戻る際の反動が弱く、ゴールリングの跳ね上がりを緩やかとすることを目的とする。
【課題を解決するための手段】
【０００９】
上記課題を解決するためのバスケットボール用ゴールリングは、バックボードに固定したブラケットに、リングを固定した支持部材を軸支し、ブラケットには補助ばねと少なくとも２枚以上の板ばねを設け、総ての板ばねの一端は支持部材の側面に固定すると共に少なくとも１枚の板ばねの他端は補助ばねに固定したことを特徴とする。
【００１０】
更に、支持部材はリングを固定した上端部から下方へ延設した縦部を備え、板ばねの一端は支持部材の縦部の側面に固定し、支持部材は板ばねの下方でブラケットに軸支したことを特徴とする。
【００１１】
更に、板ばねの支持力を調整する調整機構を備えることを特徴とする。
【００１２】
更に、調整機構は、ボルトを固定した移動部材をブラケットに移動可能に設け、移動部材に補助ばねを設け、ブラケットに固定した保持部材にボルトを挿通し、保持部材の両側でボルトにナットを螺合して構成したことを特徴とする
【００１３】
更に、２枚以上の板ばねを重ねて設け、該重ねて設けられた少なくとも２枚以上の板ばねを上下から挟持する少なくとも１対のローラーをブラケットに回転自在に設けたことを特徴とする。
【００１４】
更に、板ばねの曲折を誘導するガイドを設けたことを特徴とする。
【００１５】
更に、リングの回動を停止させるストッパーを設けたことを特徴とする。
【００１６】
更に、少なくとも１枚の板ばねは他の板ばねと異なる厚さを有することを特徴とする。
【００１７】
更に、２枚以上の板ばねのうち１枚の板ばねを補助ばねに固定し、該補助ばねに固定した板ばねは他の板ばねより厚いことを特徴とする。
【発明の効果】
【００１８】
以上のような本願請求項１又は２記載の発明によれば、リングが下方へ回動するバスケットボール用ゴールリングを簡易な構成とすることができ、廉価に製造できると共に維持コストがかからず、更には使用場所を選ばず屋内のみならず屋外での使用にも適したものとなった。更に、リングが下方へ回動した位置から水平位置に戻る際の反動を弱くし、リングの跳ね上がりを緩やかにし、バスケットボール用ゴールリングの破損が防止され、競技者の安全も確保することが可能となった。
【００１９】
又、請求項３又は４記載の発明によれば、半永久的にゴールリングを水平位置に保持可能となり、リングが下方へ回動するために必要な荷重の設定を容易とすることができた。
【００２０】
又、請求項５記載の発明によれば、積層された板ばねのふくらみを防止すると共に撓み、スライドを円滑とすることが可能となり、リングの回動を円滑にすることができた。
【００２１】
又、請求項６記載の発明によれば、板ばねの曲折を誘導して、板ばねの曲折が局部的、鋭角的になるのを防止し、板ばねの急な跳ね返りや破損を防止することが可能となった。
【００２２】
又、請求項７記載の発明によれば、リングの回動を適宜位置で、且つ衝撃を低減して停めることが可能となりバスケットボール用ゴールリングの破損を防止できた。
【００２３】
又、請求項８又は９記載の発明によれば、リングの水平位置の維持を確実にしつつも、更にリングが下方へ回動した位置から水平位置に戻る際の反動を弱め、リングの跳ね上がりが緩やかとすることができた。
【発明を実施するための最良の形態】
【００２４】
以下本発明を図に従って詳細に説明する。バスケットボール用ゴールリング１（以下単にゴールリング１ということがある）は、バックボード１００に固定されたブラケット２、ブラケット２に軸支され、ネット１２を吊設したリング１１を固定した支持部材３、一端を支持部材３に固定した２枚以上の板ばね４，４…、ブラケット２に設けられて少なくとも１枚の板ばねと結合した補助ばね５、板ばね４の支持力を調整する調整機構６を備えて構成されている。
【００２５】
ブラケット２は少なくともリング１１側面及び底面に開口部２１を有し、内部空間２７を有する函状に形成され、背面２２の外側面をバックボード１００に当接させて図示しないボルト等を用いて固定している。後述する板ばね４，４…、補助ばね５、調整機構６、ローラー７，７…、ガイド８及びストッパー９は内部空間２７内に設置されている。
【００２６】
支持部材３はその側面で板ばね４，４…に支持されると共に板ばね４，４…の下方でブラケット２に軸支され、その構成は特に限定されないが、ブラケット２の両内側面間の距離より僅かに短い幅を有する横断面コの字型の部材の三箇所を略直角に曲折して底部３１、短部３２、縦部３３、上部３４を備え、ブラケット２のガイド８の下方に縦部３３より短い短部３２の上端部を軸２３を介して軸支し、短部３２の下端部からバックボード１００と反対方向に底部３１を延設し、底部３１の短部３２と反対側の端部から上方に短部３２と平行な縦部３３を延設し、縦部３３の上端部からバックボード１００と反対方向に上部３４を延設して構成することができる。尚、短部３２と縦部３３はバックボード１００と平行に、底部３１と上部３４はバックボード１００と垂直且つ水平に位置するように設置するのが好ましい。上部３４にはリング１１を水平に固定している。このような構成からリング１１は水平位置から下方へ回動可能となっている。尚、リング１１が水平位置から下方へのみ回動可能とするために縦部３３のブラケット２側の上端部はブラケット２の上面先端部に当接するよう構成してもよく、この場合には縦部３３とブラケット２の上面先端部が当接する箇所には弾力体を設けてリング１１が下方から水平状態に戻る際の衝撃を吸収するように構成することが好ましい。
【００２７】
尚、支持部材３は平板、函型或いは棒体を用いた梯子状の骨組み等の部材を曲折して上記形状に構成してもよく、更に、短部３２を設けずに底部３１のバックボード１００側の端部をブラケット２に軸２３を介して軸支し、或いは縦部３３及び上部３４のみで縦断面逆Ｌ字型に構成して縦部３３の下端部をブラケット２に軸２３を介して軸支する構成、更には、上部３４を設けずに縦部３３の上端部にリング１１を水平に固定する構成としてもよい。勿論、使用する部材の曲折は略直角に限定されず、円弧状等に曲折して、例えば短部３２から縦部３３の下部にかけて側面視Ｕ字型等に構成することとしてもよい。尚、リング１１の支持部材３との結合強度を高めるために、板体、棒体等の端部を縦部３３と上部３４又は／及びリング１１に固定した補強部材１３を設けることが望ましい。
【００２８】
板ばね４はブラケット２の幅より短い幅で構成され、一端部に２個程度のボルト挿通孔４１，４１を穿孔し、縦部３３の側面からバックボード１００方向へ張出させて設けたボルト挿通孔３５１，３５１を有する二枚の固定板３５，３５間に挿入し、ボルト３６１をボルト挿通孔３５１，４１，３５１に挿通しナット３６２で締結し、支持部材３の縦部３３の側面に固定する。
【００２９】
板ばね４は少なくとも２枚以上、望ましくは３枚乃至５枚を重ねて設け、最下層の板ばね４９は他の板ばね４，４…より厚く、望ましくは他の板ばねの１．５倍乃至２．５程度の厚さとする。最下層の板ばね４９のバックボード１００側の端部は補助ばね５に固定し、他の板ばね４，４…のバックボード１００側の端部は後述する対のローラー７，７間又は／及び移動部材６１の開口部６１１に固定しないでスライド可能に挟持させる。板ばね４，４…は支持部材３に固定する端部側がバックボード１００側の端部より上方に位置するように傾斜させて設けることが望ましいが、水平或いは支持部材３に固定する端部側がバックボード１００側の端部より下方に位置するように傾斜させて設けることとしてもよい。このように構成することで、板ばね４，４…は支持部材３を側方から支持することができ、又、リング１１方向及びバックボード１００方向へスライドすることができる。
【００３０】
尚、総ての板ばね４，４…を同一の厚さとすること、最下層の板ばね４９は厚くし上層へいくにしたがって徐々に薄くすることとしてもよく、或いは最上層又は中間層の板ばね４を最も厚くすると共に補助ばね５に固定する構成としてもよい。
【００３１】
重ねて設けられた少なくとも２枚以上の板ばね４，４…はその上下に位置し、ブラケット２の側面間に軸７０を介して軸支されて回転自在に設けられた少なくとも１対、望ましくは２乃至４対のローラー７，７…で上下から挟持することは推奨される。ローラー７，７…により積層された板ばね４，４…のふくらみを防止すると共に撓み、スライドを円滑とすることが可能となる。
【００３２】
補助ばね５は板ばね４９をスライド可能に支持すると共に、板ばね４，４…特に板ばね４９の曲折した状態から平面状への復元を円滑にするための部材であり、移動部材６１の内部に設け、最下層の板ばね４９と結合している。補助ばね５としては板ばねの使用がやわらかく望ましいが、コイルばね等の適宜の弾性体の使用も可能である。補助ばね５としての板ばねは支持部材３方向に湾曲させて対向する端部を移動部材６１に溶接する等して設置し、湾曲の頂点に最下層の板ばね４９を固定する。
【００３３】
調整機構６は板ばね４の支持力を調整するための機構であり、縦断面ロ字型の移動部材６１をブラケット２の背面２２近傍に嵌合して内部空間２７をバックボード１００方向及びリング１１方向に移動可能に設け、移動部材６１の支持部材３側の側面には、その端部には板ばね４と平行に張設された縁部６１２，６１２を備える開口部６１１を設けると共に、支持部材３方向に突出するボルト６３を固着している。更に、移動部材６１の内部に補助ばね５を設置して、ブラケット２の移動部材６１と支持部在３間に設けた孔６２１を有する板状の保持部材６２にボルト６３を挿通し、該ボルト６３に保持部材６２の両側でナット６４，６４を螺合して構成している。補助ばね５と結合した最下層の板ばね４９は開口部６１１に挿通され縁部６１２，６１２間に挟持される。縁部６１２，６１２間の距離を適宜に設定し、他の板ばね４，４…を縁部６１２，６１２間に挟持させてもよいが、しなくてもよい。
【００３４】
ナット６４，６４の締結位置を調整して、ボルト６３そして移動部材６１を支持部材３方向或いはバックボード１００方向へ移動させることにより、支持力即ち、板ばね４９がリング１１を水平に維持する力及び板ばね４の湾曲から平面状への復元力を増加させる調整が可能となり、常にリング１１を水平に維持することが可能となる。ナット６４の調整は開口部２１からレンチを挿入して行うことができる。
【００３５】
尚、調整機構６を設けないでゴールリング１を構成してもよく、調整機構６を設けない場合には補助ばね５はブラケット２の背面２２の内側面に固定して設ければよい。
【００３６】
ガイド８は板ばね４の曲折を誘導して、板ばね４の曲折が局部的、鋭角的になるのを防止し、板ばね４の急な跳ね返りや破損を防止するために設けるもので、平板を曲折してバックボード１００と略平行の支持部８１、支持部８１の上端から下方且つ支持部材３方向へ延設した上方へ湾曲したガイド部８２から構成され、ブラケット２の両側面にその端部を溶接等で固着している。ガイド８は板ばね４が湾曲していない状態においても支持部８１の上端が最下層の板ばね４９の下面と接触し、或いは極めて僅かな空間を備える位置に設置している。ガイド８は支持部８１を設けることにより強度が増すが、支持部８１を設けずに、ガイド部８２のみで構成してもよく、ガイド部８２は板体を用いずに、板ばね４が曲折した際の板ばね４９の下面と当接するブラケット２の側面間に架橋した複数の棒体で構成してもよい。尚、ガイド８を設けずにゴールリング１を構成してもよい。
【００３７】
ストッパー９は支持部材３の回動、リング１１の下方への回動を停止させるために設けるもので、ブラケット２の側面間に架橋したステンレスや鉄等の金属等の軸を弾力性を有するゴム、エラストマー、その他の合成樹脂等で被覆して構成し、短片３２のバックボード１００側に設置している。尚、ストッパー９を設けずにゴールリング１を構成してもよい。又、短片３２のバックボード１００と反対側に同様の構成を備えたストッパー９０を設置し、支持部材３及びリング１１の上方への回動を防止することとしてもよい。
【００３８】
次に本発明の動作を説明する。リング１１に下方への荷重がかかっていない時には、図１に示すように板ばね４，４…は曲折せず、支持部材３の縦部３３はバックボード１００と平行に位置し、リング１１は水平に位置している。競技者がリング１１にぶら下がる等してリング１１に一定以上の下方への荷重が掛かったときには、図２に示すように支持部材３の縦部３３及び上部３４がリング１１方向の下方へ軸２３を中心に回動してリング１１が下方へ回動すると共に板ばね４，４…はリング１１方向へスライドすると共にガイド８のガイド部８２に沿って湾曲し、補助ばね５はリング１１方向へ引っ張られる。そして、支持部材３の短部３２がストッパー９に当接して支持部材３及びリング１１の回動が停止する。
【００３９】
競技者がリング１１から手を放してリング１１への下方への荷重が開放されると、湾曲した板ばね４，４…がその復元力及び引っ張られた補助ばね５の復元力により板ばね４９がバックボード１００側へ引っ張られることにより元の平面状に戻ると共に支持部材３の縦部３３及び上部３４がバックボード１００方向へ回動し、縦部３３とブラケット２の上面先端部が当接して支持部材３及びリング１１の回動が停止して、リング１１が水平位置に戻り、水平位置に維持される。
【産業上の利用可能性】
【００４０】
本発明のバスケットボール用ゴールリングは、ゴールリングが下方へ回動するバスケットボール用ゴールリングとして有用であり、特に簡易な構成で、廉価且つ低維持コストであり、更には屋外での使用にも適している。更に、半永久的にゴールリングを水平位置に保持可能で、ゴールリングが下方へ回動した位置から水平位置に戻る際の反動が弱く、ゴールリングの跳ね上がりを緩やかであり、安全性にも優れて有用である。
【図面の簡単な説明】
【００４１】
【図１】本発明一実施例リング水平時の側面図
【図２】本発明一実施例リング回動時の側面図
【図３】本発明一実施例上面図
【符号の説明】
【００４２】
１      バスケットボール用ゴールリング
１１    リング
１２    ネット
２      ブラケット
２３    軸
３      支持部材
３３    縦部
３５    固定板
４      板ばね
４９    最下層の板ばね
５      補助ばね
６      調整機構
６１    移動部材
７      ローラー
８      ガイド
９      ストッパー
１００  バックボード
【図１】
2006014783.tif 000003
【図２】
2006014783.tif 000004
【図３】
2006014783.tif 000005